(57)【要約】【課題】音響に関する専門的知識がなくても、迅速かつ直感的に出力音声の音質調整を行うことが可能な「音質調整装置および音質調整方法」を提供する。【解決手段】音声の出力中に、音源の種類を表したアイコン５４０、５６０、５８０を再生画面に重畳して表示し、何れかのアイコンの画面上の位置を上下方向に変更する操作を受け付ける。そして、出力中の音声について、操作されたアイコンに対応する音源の周波数帯域のレベルを、変更後の画面上のアイコンの位置に基づいて調整することにより、ユーザが、各音源がどの周波数帯域に対応しているかを全く意識することなく、音源が表示された分かりやすいアイコン５４０、５６０、５８０の操作によって調整対象の音源（周波数帯域）のレベルを直感的に調整できるようにするとともに、アイコンの操作結果に連動して、そのアイコンに対応した音源の周波数帯域のレベルが調整されるようにする。【選択図】図３
2011223433.tif 000002
【特許請求の範囲】
【請求項１】
音声の出力中に、音源の種類を表したアイコンを画面に表示するように制御するアイコン表示制御部と、
前記アイコン表示制御部により表示された前記アイコンに対する操作を受け付けるアイコン操作受付部と、
前記アイコン操作受付部により前記アイコンに対する操作が受け付けられた場合、前記音声について、操作されたアイコンに対応する音源の周波数帯域のレベルを、前記アイコンの操作内容に基づいて調整する音質調整部とを備えたことを特徴とする音質調整装置。
【請求項２】
請求項１に記載の音質調整装置において、
前記音声の付随情報に基づいて音楽ジャンルを特定する音楽ジャンル特定部を更に備え、
前記アイコン表示制御部は、前記音楽ジャンル特定部により特定された前記音楽ジャンルに応じて前記アイコンに表す音源の種類を決定することを特徴とする音質調整装置。
【請求項３】
請求項１に記載の音質調整装置において、
前記アイコン表示制御部は、前記アイコン操作受付部により前記アイコンを選択する操作が受け付けられた場合、選択されたアイコンに対応する音源の周波数帯域と少なくとも一部が重複する周波数帯域を有する第２の音源を表した第２のアイコンに切り替えて前記画面に表示することを特徴とする音質調整装置。
【請求項４】
音声の出力中に、音源の種類を表したアイコンを画面に表示するように制御する第１のステップと、
前記第１のステップにより表示された前記アイコンに対する操作を受け付ける第２のステップと、
前記第２のステップにより前記アイコンに対する操作が受け付けられた場合、前記音声について、操作されたアイコンに対応する音源の周波数帯域のレベルを、前記アイコンの操作内容に基づいて調整する第３のステップとを有することを特徴とする音質調整方法。
【発明の詳細な説明】
【技術分野】
【０００１】
本発明は、音質調整装置および音質調整方法に関し、特に、出力対象の音声信号のレベルを複数の周波数帯域毎に増減させることにより、出力音声の音質調整を行う音質調整装置および音質調整方法に関するものである。
【背景技術】
【０００２】
従来、出力音声の音質調整を行う音質調整装置が、オーディオ装置などに組み込まれて用いられている。この音質調整装置は、オーディオ再生周波数帯域（概ね２０Ｈｚ〜２０ｋＨｚの帯域）を複数の周波数帯域に分割し、出力対象の音声信号のレベル（振幅）を周波数帯域毎に増減することで、ユーザの好みに応じた音質が得られるような周波数特性に補正するものである。
【０００３】
ここで、出力音声の音質調整を従来どのように行っていたかについて説明する。図５は、音質調整装置に設定された複数の周波数帯域の中から、ユーザが所望の周波数帯域のレベルを調整するための音質調整画面の例を示している。この音質調整画面において、まず、ユーザは、調整対象の周波数帯域を選択するための左矢印ボタン１０および右矢印ボタン２０をタッチすることにより、所望の周波数帯域（図５の例では、４００［Ｈｚ］）を選択する。次に、ユーザは、調整対象の周波数帯域のレベルを調整するための上矢印ボタン３０および下矢印ボタン４０をタッチすることにより、選択した周波数帯域のレベルを所望のレベル（図５の例では、５）に設定する。
【０００４】
なお、周波数帯域毎のレベル調整の際に、選択した周波数帯域がレベル調整の対象とする周波数帯域なのかを判別し易くした技術が開示されている（例えば、特許文献１を参照）。具体的には、オーディオ信号の再生周波数帯域内に設定した複数の周波数帯域のうち何れかの周波数帯域が選択された場合、その選択された周波数帯域に含まれるオーディオ信号成分のみを抽出し、一定時間の間、スピーカを通して音声出力させるようにしている。
【先行技術文献】
【特許文献】
【０００５】
【特許文献１】特開２００５−１７５５６２号公報
【発明の概要】
【発明が解決しようとする課題】
【０００６】
しかしながら、出力音声のレベルを複数の周波数帯域毎に増減させることにより出力音声の音質調整を行う従来の技術では、ユーザは、どの周波数帯域のレベルを増減させると、どのあたりの音が変化するかをあらかじめ知っている必要がある。しかし、楽器等の音源がどの周波数帯域に対応するかという音響に関する専門的知識を持っているユーザは少ない。そのため、音響に関する専門的な知識を持たない一般のユーザにとって、従来の技術を用いて、出力音声を所望の音質に調整することは困難である。例えば、音に厚みを持たせるためにベースを強調したい、歌の声を引き立てるためにボーカルを強調したいなどの要求を持っても、ユーザは実際にどの周波数帯域を調整すれば良いのかが分からず、直感的に出力音声の音質調整を行うことは困難であるという問題があった。
【０００７】
なお、特許文献１に記載の技術によれば、選択した周波数帯域の音声を聴くことで、どのあたりの音声のレベルが変化するかを認識することができる。しかし、音響に関する専門的知識を持たないユーザにとって、とりあえず周波数帯域を選択して音声を聴いてみなければ、レベル調整したい音源に対応するものか否かは分からない。そのため、実際に出力音声の音質調整を行うのは、何度も選択を繰り返してレベル調整の対象とする周波数帯域がどのあたりか判別した後になるため、出力音声の音質を迅速に調整することができないという問題があった。
【０００８】
本発明は、このような問題を解決するために成されたものであり、音響に関する専門的知識がなくても、迅速かつ直感的に出力音声の音質調整を行うことができるようにすることを目的とする。
【課題を解決するための手段】
【０００９】
上記した課題を解決するために、本発明では、音声の出力中に、音源の種類を表したアイコンを画面に表示し、アイコンに対する操作を受け付ける。そして、出力中の音声について、操作されたアイコンに対応する音源の周波数帯域のレベルを、操作内容に基づいて調整するようにしている。
【発明の効果】
【００１０】
上記のように構成した本発明によれば、出力音声の音質調整に用いるアイコンに音源の種類が表されているため、ユーザは、各音源がどの周波数帯域に対応しているかを全く意識することなく、音源が表示された分かりやすいアイコンの操作によって調整対象の音源（周波数帯域）のレベルを直感的に調整することができる。また、アイコンの操作結果に連動して、そのアイコンに対応した音源の周波数帯域のレベルが調整されるため、迅速に出力音声の音質を調整することができる。以上より、音響に関する専門的知識がなくても、迅速かつ直感的に出力音声の音質調整を行うことができる。
【図面の簡単な説明】
【００１１】
【図１】本実施形態による音質調整装置を備えた音声再生システムの全体構成例を示すブロック図である。
【図２】本実施形態によるアイコン情報の詳細例を示す図である。
【図３】本実施形態による再生画面の例を示す図である。
【図４】本実施形態による音質調整装置の動作例を示すフローチャートである。
【図５】従来の音質調整画面を示す図である。
【発明を実施するための形態】
【００１２】
以下、本発明の一実施形態を図面に基づいて説明する。図１は、本実施形態による音質調整装置１００を備えた音声再生システム１２０の構成例を示すブロック図である。音声再生システム１２０は、例えば、自動車等の車両に搭載されるものである。
【００１３】
図１に示すように、音声再生システム１２０は、音質調整装置１００の他に、操作入力部１４０、楽曲情報記憶部１６０、操作受付部１８０、音声再生部２００、スピーカ２２０、再生画面表示制御部２４０およびディスプレイ２６０を備えて構成されている。音質調整装置１００は、スピーカ２２０に対する出力音声（音声再生部２００の再生音声）の音質調整を行うものであり、アイコン情報記憶部３００、音楽ジャンル特定部３２０、アイコン表示制御部３４０、アイコン操作受付部３６０および音質調整部３８０を備えている。
【００１４】
操作入力部１４０は、音声再生システム１２０に対するユーザの指示を入力する。本実施形態では、操作入力部１４０は、例えば、ディスプレイ２６０の表面に配置されたタッチパネルやリモコン等の入力装置を含んで構成される。
【００１５】
楽曲情報記憶部１６０は、楽曲の各々に関する楽曲情報を記憶する。楽曲情報は、各々の楽曲を識別するための楽曲識別情報と、当該楽曲識別情報に対応した楽曲名、音楽ジャンルなどの付随情報および音楽データとにより構成される。
【００１６】
操作受付部１８０は、操作入力部１４０を介して、楽曲情報記憶部１６０に記憶されている楽曲の中から、再生する対象の楽曲として何れかの楽曲を選択する選択操作を受け付ける。この場合、操作受付部１８０は、受け付けた選択操作に応じて選択された再生対象の楽曲の楽曲識別情報を音質調整装置１００の音楽ジャンル特定部３２０、音声再生部２００および再生画面表示制御部２４０に出力する。
【００１７】
音声再生部２００は、操作受付部１８０により楽曲識別情報が出力された場合、その楽曲識別情報に対応する音楽データを楽曲情報記憶部１６０から読み出して再生する。スピーカ２２０は、音声再生部２００により再生された音楽データに基づく音声を外部に出力する。再生画面表示制御部２４０は、操作受付部１８０により楽曲識別情報が出力された場合、その楽曲識別情報に対応する付随情報（楽曲名など）を楽曲情報記憶部１６０から読み出して再生画面を生成し、ディスプレイ２６０に表示するように制御する。
【００１８】
アイコン情報記憶部３００は、音源の種類を表したアイコンに関するアイコン情報を記憶する。アイコン情報は、各々のアイコンを識別するための「アイコン識別情報（例えば、アイコン番号）」、音源の周波数帯域がどの音域に属するのかを示す「音域」、再生中の音楽データの音楽ジャンルを示す「音楽ジャンル」、音源の周波数帯域を示す「周波数帯域」および音源の種類を絵で表したアイコンの「アイコンデータ」を情報として含む。本実施形態において音域は、オーディオ再生周波数帯域（概ね２０Ｈｚ〜２０ｋＨｚの帯域）を分割した３つの音域（高音域、中音域、低音域）を示す。
【００１９】
図２は、アイコン情報記憶部３００に記憶されている６つのアイコン情報の詳細を示す図である。図２において、「音域」、「音楽ジャンル」、「周波数帯域」、「アイコンデータ」が「アイコン識別情報」に対応付けて記憶されている。図２に示すように、３つの音域（高音域、中音域、低音域）毎に２つの音楽ジャンル（ＰＯＰＳ、クラシック）に対応したアイコンが存在する。すなわち、高音域については、ＰＯＰＳに対応したシンバルのアイコンと、クラシックに対応したシンバルのアイコンとが存在する。また、中音域については、ＰＯＰＳに対応したボーカルのアイコンと、クラシックに対応したバイオリンのアイコンとが存在する。また、低音域については、音楽ジャンル（ＰＯＰＳ）に対応したアイコン（ベース）と、音楽ジャンル（クラシック）に対応したアイコン（ティンパニー）とが存在する。
【００２０】
音楽ジャンル特定部３２０は、操作受付部１８０により楽曲識別情報が出力された場合、楽曲情報記憶部１６０を参照して、その楽曲識別情報に対応する音楽ジャンルを特定する。そして、音楽ジャンル特定部３２０は、特定した音楽ジャンルを示す音楽ジャンル情報をアイコン表示制御部３４０および音質調整部３８０に出力する。
【００２１】
アイコン表示制御部３４０は、音楽ジャンル特定部３２０から音楽ジャンル情報が出力された場合、アイコン情報記憶部３００を参照し、項目「音域」の値が高音域であり、項目「音楽ジャンル」の値が当該音楽ジャンル情報により示される音楽ジャンルであるアイコン情報を検索する。そして、アイコン表示制御部３４０は、検索したアイコン情報に含まれるアイコンデータ（以下、アイコン（高音域）という）を取り出し、取り出したアイコン（高音域）をディスプレイ２６０に表示されている再生画面に重畳して表示する。
【００２２】
また、アイコン表示制御部３４０は、音楽ジャンル特定部３２０から音楽ジャンル情報が出力された場合、アイコン情報記憶部３００を参照し、項目「音域」の値が中音域であり、項目「音楽ジャンル」の値が当該音楽ジャンル情報により示される音楽ジャンルであるアイコン情報を検索する。そして、アイコン表示制御部３４０は、検索したアイコン情報に含まれるアイコンデータ（以下、アイコン（中音域）という）を取り出し、取り出したアイコン（中音域）をディスプレイ２６０に表示されている再生画面に重畳して表示する。
【００２３】
また、アイコン表示制御部３４０は、音楽ジャンル特定部３２０から音楽ジャンル情報が出力された場合、アイコン情報記憶部３００を参照し、項目「音域」の値が低音域であり、項目「音楽ジャンル」の値が当該音楽ジャンル情報により示される音楽ジャンルであるアイコン情報を検索する。そして、アイコン表示制御部３４０は、検索したアイコン情報に含まれるアイコンデータ（以下、アイコン（低音域）という）を取り出し、取り出したアイコン（中音域）をディスプレイ２６０に表示されている再生画面に重畳して表示する。
【００２４】
アイコン操作受付部３６０は、操作入力部１４０を介して、ディスプレイ２６０に表示された再生画面上のアイコン（高音域）の位置を変更する操作を受け付ける。この場合、アイコン操作受付部３６０は、アイコン（高音域）の位置を変更する操作を受け付けた旨および変更後のアイコン（高音域）の位置を音質調整部３８０に通知する。
【００２５】
また、アイコン操作受付部３６０は、操作入力部１４０を介して、ディスプレイ２６０に表示された再生画面上のアイコン（中音域）の位置を変更する操作を受け付ける。この場合、アイコン操作受付部３６０は、アイコン（中音域）の位置を変更する操作を受け付けた旨および変更後のアイコン（中音域）の位置を音質調整部３８０に通知する。
【００２６】
また、アイコン操作受付部３６０は、操作入力部１４０を介して、ディスプレイ２６０に表示された再生画面上のアイコン（低音域）の位置を変更する操作を受け付ける。この場合、アイコン操作受付部３６０は、アイコン（低音域）の位置を変更する操作を受け付けた旨および変更後のアイコン（低音域）の位置を音質調整部３８０に通知する。
【００２７】
音質調整部３８０は、アイコン（高音域）の位置を変更する操作を受け付けた旨の通知をアイコン操作受付部３６０から受けた場合、アイコン情報記憶部３００を参照し、項目「音域」の値が高音域であり、項目「音楽ジャンル」の値が音楽ジャンル特定部３２０から出力された音楽ジャンル情報により示される音楽ジャンルであるアイコン情報を検索する。そして、音質調整部３８０は、音声再生部２００により再生される音楽データについて、検索したアイコン情報に含まれる項目「周波数帯域」の値のレベルを、アイコン操作受付部３６０から通知されたアイコン（高音域）の位置に基づいて調整する。具体的には、アイコン（高音域）の画面上下方向の位置が上にあるほどレベルを高くするように制御するとともに、アイコン（高音域）の画面上下方向の位置が下にあるほどレベルを低くするように制御する。
【００２８】
また、音質調整部３８０は、アイコン（中音域）の位置を変更する操作を受け付けた旨の通知をアイコン操作受付部３６０から受けた場合、アイコン情報記憶部３００を参照し、項目「音域」の値が中音域であり、項目「音楽ジャンル」の値が音楽ジャンル特定部３２０から出力された音楽ジャンル情報により示される音楽ジャンルであるアイコン情報を検索する。そして、音質調整部３８０は、音声再生部２００により再生される音楽データについて、検索したアイコン情報に含まれる項目「周波数帯域」の値のレベルを、アイコン操作受付部３６０から通知されたアイコン（中音域）の位置に基づいて調整する。具体的には、アイコン（中音域）の画面上下方向の位置が上にあるほどレベルを高くするように制御するとともに、アイコン（中音域）の画面上下方向の位置が下にあるほどレベルを低くするように制御する。
【００２９】
また、音質調整部３８０は、アイコン（低音域）の位置を変更する操作を受け付けた旨の通知をアイコン操作受付部３６０から受けた場合、アイコン情報記憶部３００を参照し、項目「音域」の値が低音域であり、項目「音楽ジャンル」の値が音楽ジャンル特定部３２０から出力された音楽ジャンル情報により示される音楽ジャンルであるアイコン情報を検索する。そして、音質調整部３８０は、音声再生部２００により再生される音楽データについて、検索したアイコン情報に含まれる項目「周波数帯域」の値のレベルを、アイコン操作受付部３６０から通知されたアイコン（低音域）の位置に基づいて調整する。具体的には、アイコン（低音域）の画面上下方向の位置が上にあるほどレベルを高くするように制御するとともに、アイコン（低音域）の画面上下方向の位置が下にあるほどレベルを低くするように制御する。
【００３０】
次に、本実施形態による音質調整操作について説明する。図３は、本実施形態におけるディスプレイ２６０に表示される再生画面５００の例を示す図である。図３の再生画面５００において、５２０は音声再生部２００により再生される音楽データに対応する楽曲名および音楽データの再生経過時間を表示する領域、５４０はアイコン表示制御部３４０により表示されたアイコン（低音域）、５６０はアイコン表示制御部３４０により表示されたアイコン（中音域）、５８０はアイコン表示制御部３４０により表示されたアイコン（高音域）、６００は音声再生部２００により再生される音楽データのレベル（振幅）の可変範囲（０〜１０）の中間値（５）に対応する画面上下方向の位置を示す線である。図３の再生画面５００では、音声再生部２００により再生される音楽データの音楽ジャンルが「ＰＯＰＳ」であるため、音源の種類としてシンバルを表したアイコン（高音域）５８０、ボーカルを表したアイコン（中音域）５６０、ベースを表したアイコン（低音域）５４０がアイコン表示制御部３４０により表示されている。
【００３１】
アイコン操作受付部３６０は、操作入力部１４０を介して、ディスプレイ２６０に表示された再生画面５００上のアイコン（高音域）５８０の位置を画面上下方向に変更する操作を受け付けた場合、アイコン（高音域）５８０の位置を変更する操作を受け付けた旨および変更後のアイコン（高音域）５８０の位置を音質調整部３８０に通知する。そして、音質調整部３８０は、アイコン（高音域）５８０の位置を変更する操作を受け付けた旨の通知をアイコン操作受付部３６０から受けて、アイコン情報記憶部３００を参照し、項目「音域」の値が高音域であり、項目「音楽ジャンル」の値がＰＯＰＳであるアイコン情報を検索する。そして、音質調整部３８０は、音声再生部２００により再生される音楽データについて、検索したアイコン情報に含まれる項目「周波数帯域」の値（○○○〜○○○′）のレベルを、アイコン操作受付部３６０から通知されたアイコン（高音域）５８０の画面上下方向の位置に基づいて調整する。
【００３２】
また、アイコン操作受付部３６０は、操作入力部１４０を介して、ディスプレイ２６０に表示された再生画面５００上のアイコン（中音域）５６０の位置を画面上下方向に変更する操作を受け付けた場合、アイコン（中音域）５６０の位置を変更する操作を受け付けた旨および変更後のアイコン（中音域）５６０の位置を音質調整部３８０に通知する。そして、音質調整部３８０は、アイコン（中音域）５６０の位置を変更する操作を受け付けた旨の通知をアイコン操作受付部３６０から受けて、アイコン情報記憶部３００を参照し、項目「音域」の値が中音域であり、項目「音楽ジャンル」の値がＰＯＰＳであるアイコン情報を検索する。そして、音質調整部３８０は、音声再生部２００により再生される音楽データについて、検索したアイコン情報に含まれる項目「周波数帯域」の値（△△△〜△△△′）のレベルを、アイコン操作受付部３６０から通知されたアイコン（中音域）５６０の画面上下方向の位置に基づいて調整する。
【００３３】
また、アイコン操作受付部３６０は、操作入力部１４０を介して、ディスプレイ２６０に表示された再生画面５００上のアイコン（低音域）５４０の位置を画面上下方向に変更する操作を受け付けた場合、アイコン（低音域）５４０の位置を変更する操作を受け付けた旨および変更後のアイコン（低音域）５４０の位置を音質調整部３８０に通知する。そして、音質調整部３８０は、アイコン（低音域）５４０の位置を変更する操作を受け付けた旨の通知をアイコン操作受付部３６０から受けて、アイコン情報記憶部３００を参照し、項目「音域」の値が低音域であり、項目「音楽ジャンル」の値がＰＯＰＳであるアイコン情報を検索する。そして、音質調整部３８０は、音声再生部２００により再生される音楽データについて、検索したアイコン情報に含まれる項目「周波数帯域」の値（□□□〜□□□′）のレベルを、アイコン操作受付部３６０から通知されたアイコン（低音域）５４０の画面上下方向の位置に基づいて調整する。
【００３４】
次に、本実施形態の音質調整装置１００の動作について説明する。図４は、本実施形態による音質調整装置１００の動作例を示すフローチャートである。図４に示すフローチャートは、音声再生部２００により音楽データの再生が開始されることにより開始する。この時点で、操作受付部１８０は、再生対象の楽曲の楽曲識別情報を音質調整装置１００の音楽ジャンル特定部３２０に出力したものとする。
【００３５】
まず、音楽ジャンル特定部３２０は、楽曲情報記憶部１６０を参照して、操作受付部１８０により出力された楽曲識別情報に対応する音楽ジャンルを特定する（ステップＳ１００）。そして、音楽ジャンル特定部３２０は、特定した音楽ジャンルを示す音楽ジャンル情報をアイコン表示制御部３４０および音質調整部３８０に出力する。
【００３６】
次に、アイコン表示制御部３４０は、アイコン情報記憶部３００を参照し、項目「音域」の値が高音域であり、項目「音楽ジャンル」の値が音楽ジャンル特定部３２０から出力された音楽ジャンル情報により示される音楽ジャンルであるアイコン情報を検索する。そして、アイコン表示制御部３４０は、検索したアイコン情報に含まれるアイコン（高音域）を取り出し、ディスプレイ２６０に表示されている再生画面に重畳して表示する（ステップＳ１２０）。
【００３７】
次に、アイコン表示制御部３４０は、アイコン情報記憶部３００を参照し、項目「音域」の値が中音域であり、項目「音楽ジャンル」の値が音楽ジャンル特定部３２０から出力された音楽ジャンル情報により示される音楽ジャンルであるアイコン情報を検索する。そして、アイコン表示制御部３４０は、検索したアイコン情報に含まれるアイコン（中音域）を取り出し、ディスプレイ２６０に表示されている再生画面に重畳して表示する（ステップＳ１４０）。
【００３８】
次に、アイコン表示制御部３４０は、アイコン情報記憶部３００を参照し、項目「音域」の値が低音域であり、項目「音楽ジャンル」の値が音楽ジャンル特定部３２０から出力された音楽ジャンル情報により示される音楽ジャンルであるアイコン情報を検索する。そして、アイコン表示制御部３４０は、検索したアイコン情報に含まれるアイコン（低音域）を取り出し、ディスプレイ２６０に表示されている再生画面に重畳して表示する（ステップＳ１６０）。
【００３９】
次に、アイコン操作受付部３６０は、操作入力部１４０を介して、ディスプレイ２６０に表示された再生画面上のアイコン（高音域）の位置を変更する操作を受け付けたか否かについて判定する（ステップＳ１８０）。もし、再生画面上のアイコン（高音域）の位置を変更する操作を受け付けたとアイコン操作受付部３６０にて判定した場合（ステップＳ１８０にてＹＥＳ）、アイコン操作受付部３６０は、アイコン（高音域）の位置を変更する操作を受け付けた旨および変更後のアイコン（高音域）の位置を音質調整部３８０に通知する。
【００４０】
次に、音質調整部３８０は、アイコン（高音域）の位置を変更する操作を受け付けた旨の通知をアイコン操作受付部３６０から受けて、アイコン情報記憶部３００を参照し、項目「音域」の値が高音域であり、項目「音楽ジャンル」の値が音楽ジャンル特定部３２０から出力された音楽ジャンル情報により示される音楽ジャンルであるアイコン情報を検索する（ステップＳ２００）。そして、音質調整部３８０は、音声再生部２００により再生される音楽データについて、検索したアイコン情報に含まれる項目「周波数帯域」の値のレベルを、アイコン操作受付部３６０から通知されたアイコン（高音域）の位置に基づいて調整する（ステップＳ２２０）。その後、処理はステップＳ３６０に遷移する。
【００４１】
また、再生画面上のアイコン（高音域）の位置を変更する操作を受け付けていないとアイコン操作受付部３６０にて判定した場合（ステップＳ１８０にてＮＯ）、アイコン操作受付部３６０は、操作入力部１４０を介して、ディスプレイ２６０に表示された再生画面上のアイコン（中音域）の位置を変更する操作を受け付けたか否かについて判定する（ステップＳ２４０）。もし、再生画面上のアイコン（中音域）の位置を変更する操作を受け付けたとアイコン操作受付部３６０にて判定した場合（ステップＳ２４０にてＹＥＳ）、アイコン操作受付部３６０は、アイコン（中音域）の位置を変更する操作を受け付けた旨および変更後のアイコン（中音域）の位置を音質調整部３８０に通知する。
【００４２】
次に、音質調整部３８０は、アイコン（中音域）の位置を変更する操作を受け付けた旨の通知をアイコン操作受付部３６０から受けて、アイコン情報記憶部３００を参照し、項目「音域」の値が中音域であり、項目「音楽ジャンル」の値がジャンル特定部３２０から出力された音楽ジャンル情報により示される音楽ジャンルであるアイコン情報を検索する（ステップＳ２６０）。そして、音質調整部３８０は、音声再生部２００により再生される音楽データについて、検索したアイコン情報に含まれる項目「周波数帯域」の値のレベルを、アイコン操作受付部３６０から通知されたアイコン（中音域）の位置に基づいて調整する（ステップＳ２８０）。その後、処理はステップＳ３６０に遷移する。
【００４３】
さらに、再生画面上のアイコン（中音域）の位置を変更する操作を受け付けていないとアイコン操作受付部３６０にて判定した場合（ステップＳ２４０にてＮＯ）、アイコン操作受付部３６０は、操作入力部１４０を介して、ディスプレイ２６０に表示された再生画面上のアイコン（低音域）の位置を変更する操作を受け付けたか否かについて判定する（ステップＳ３００）。もし、再生画面上のアイコン（低音域）の位置を変更する操作を受け付けたとアイコン操作受付部３６０にて判定した場合（ステップＳ３００にてＹＥＳ）、アイコン操作受付部３６０は、アイコン（低音域）の位置を変更する操作を受け付けた旨および変更後のアイコン（低音域）の位置を音質調整部３８０に通知する。
【００４４】
次に、音質調整部３８０は、アイコン（低音域）の位置を変更する操作を受け付けた旨の通知をアイコン操作受付部３６０から受けて、アイコン情報記憶部３００を参照し、項目「音域」の値が低音域であり、項目「音楽ジャンル」の値がジャンル特定部３２０から出力された音楽ジャンル情報により示される音楽ジャンルであるアイコン情報を検索する（ステップＳ３２０）。そして、音質調整部３８０は、音声再生部２００により再生される音楽データについて、検索したアイコン情報に含まれる項目「周波数帯域」の値のレベルを、アイコン操作受付部３６０から通知されたアイコン（低音域）の位置に基づいて調整する（ステップＳ３４０）。その後、処理はステップＳ３６０に遷移する。
【００４５】
なお、再生画面上のアイコン（低音域）の位置を変更する操作も受け付けていないとアイコン操作受付部３６０にて判定した場合（ステップＳ３００にてＮＯ）、処理はステップＳ３６０に遷移する。ステップＳ３６０では、音質調整装置１００は、音声再生部２００からの再生音声の入力の有無を確認することにより、音声再生部２００による音楽データの再生が終了したか否かについて判定する。もし、音声再生部２００による音楽データの再生が終了していないと音質調整装置１００にて判定した場合（ステップＳ３６０にてＮＯ）、処理はステップＳ１８０に遷移する。一方、音声再生部２００による音楽データの再生が終了したと音質調整装置１００にて判定した場合（ステップＳ３６０にてＹＥＳ）、音質調整装置１００は図４における処理を終了する。
【００４６】
以上詳しく説明したように、本実施形態では、音声の出力中に、その出力音声の音楽ジャンルに対応して決められた音源の種類を表したアイコン５４０、５６０、５８０を再生画面５００に重畳して表示し、アイコン５４０、５６０、５８０の画面上の位置を変更する操作を受け付ける。そして、出力中の音声について、位置が変更されたアイコンに対応する音源の周波数帯域のレベルを、変更後の画面上のアイコンの位置に基づいて調整するようにしている。
【００４７】
このように構成した本実施形態によれば、出力音声の音質調整に用いるアイコンに音源の種類が表されているため、ユーザは、各音源がどの周波数帯域に対応しているかを全く意識することなく、音源が表示された分かりやすいアイコンの操作によって、調整したい音源のレベルを直感的に調整することができる。また、音源が表されたアイコンの操作結果に連動して、そのアイコンに対応した音源の周波数帯域のレベルが調整されるため、所望の音源を探すために何度もアイコンを試行的に操作する必要がなく、迅速に出力音声の音質を調整することができる。以上より、音響に関する専門的知識がなくても、迅速かつ直感的に出力音声の音質調整を行うことができる。
【００４８】
また、本実施形態では、再生中の音楽データの音楽ジャンルに応じて、アイコンに表す音源の種類を決定するようにしている。このようにすれば、ユーザは、出力音声の音楽ジャンルから直接的に連想しやすい音源が表示されたアイコンの操作によって、調整したい音源のレベルをより直感的に調整することができる。
【００４９】
なお、上記実施形態において、ユーザが所望するアイコンを選択する操作（例えば、カーソルで指定する操作、画面にタッチして押下する操作など）を受け付け、選択されたアイコンに対応する音源の周波数帯域と少なくとも一部が重複する周波数帯域を有する第２の音源を表した第２のアイコンに切り替えて再生画面に表示するようにしても良い。
【００５０】
具体的には、音域（高音域、中音域、低音域）毎、かつ、音楽ジャンル（ＰＯＰＳ、クラシック）毎に複数のアイコン情報をアイコン情報記憶部３００に記憶しておく。ユーザが所望のアイコンを選択する操作を受け付けた場合、選択されたアイコンに対応するアイコン情報に含まれる「音域」および「音楽ジャンル」の値と同じ値を有するアイコン情報をアイコン情報記憶部３００から検索する。そして、検索したアイコン情報に含まれるアイコンデータ（第２の音源を表した第２のアイコン）を、選択されたアイコンに代えて再生画面に表示する。このようにすれば、アイコンを選択して第２のアイコンに切り替えることにより、出力音声の音質調整に用いるアイコンに、ユーザが直接的に連想しやすい音源の種類が表される可能性が高くなる。そのため、ユーザは自身にとって、より分かりやすいアイコンの操作によって調整対象の音源（周波数帯域）のレベルを直感的に調整することができる。なお、ユーザが所望するアイコンを選択する操作を受け付けたタイミングで第２のアイコンに切り替えるのではなく、一定時間毎に自動的に切り替えるようにしても良い。
【００５１】
また、上記実施形態では、再生画面上の位置を変更されたアイコンに対応する音源の周波数帯域のレベルを、変更後の画面上のアイコンの位置に基づいて調整する例について説明したが、本発明はこれに限定されず、他のアイコンの操作内容に基づいて調整するようにしても良い。例えば、アイコンを押下する操作を受け付け、出力中の音声について、押下されたアイコンに対応する音源の周波数帯域のレベルを、アイコンが押下された位置および押下された時間に基づいて調整するようにしても良い。すなわち、アイコンの上方が押下された場合、押下された時間が長いほど音源の周波数帯域のレベルを増やす。また、アイコンの下方が押下された場合、押下された時間が長いほど音源の周波数帯域のレベルを減らす。
【００５２】
また、上記実施形態では、オーディオ再生周波数帯域を３つの音域（高音域、中音域、低音域）に分割する例について説明したが、本発明はこれに限定されない。例えば、オーディオ再生周波数帯域を２つまたは４つ以上の音域に分割し、それぞれの音域に合わせたアイコンを表示するようにしても良い。
【００５３】
また、上記実施形態では、再生中の音楽データの音楽ジャンルに応じて、アイコンに表す音源の種類を決定する例について説明したが、本発明はこれに限定されない。例えば、再生中の音楽データをフーリエ解析することによって周波数成分を検出し、その検出した周波数成分に対応する音源を、アイコンに表す音源の種類として決定するようにしても良い。
【００５４】
また、上記実施形態では、再生画面５００に表示されるアイコンは、音源の種類を絵で表したものである例について説明したが、本発明はこれに限定されない。例えば、再生画面５００に表示されるアイコンは、音源の種類を文字で表したものでも良い。
【００５５】
また、上記実施形態では、音源の種類を表すアイコンを再生画面５００に表示する例について説明したが、本発明はこれに限定されない。例えば、出力音声の音質調整を行う専用の音質調整画面にアイコンを表示するようにしても良い。この場合、音声再生部２００により音楽データの再生が実行されている間、操作入力部１４０を介したユーザの指示に応じて音質調整画面を表示しても良い。
【００５６】
その他、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００５７】
１００  音質調整装置
３２０  音楽ジャンル特定部
３４０  アイコン表示制御部
３６０  アイコン操作受付部
３８０  音質調整部
５００  再生画面
５４０  アイコン（低音域）
５６０  アイコン（中音域）
５８０  アイコン（高音域）
【図１】
2011223433.tif 000003
【図２】
2011223433.tif 000004
【図３】
2011223433.tif 000005
【図４】
2011223433.tif 000006
【図５】
2011223433.tif 000007